(57)【要約】      （修正有）【課題】杖に取り外し自在で、かつ省電力で明るいＬＥＤによる杖用のライトを安価に提供する。【解決手段】杖ライト１を形成するライト本体３は、容体４と裏蓋８とが組み合わされる下部に、略Ｕ字状の透明縁６を取り付けて成るライト本体３を形成し、そのライト本体３の容体４内に、前記透明縁６に設けた凹部５にＬＥＤ２を位置する。さらに、スイッチ１０を容体４の表面側に出し、かつ前記容体４に設けた電池収納部位に接触端子を位置して成る回路基板を取り付けて成る前記裏蓋８の電池穴に、取り外し自在の電池蓋を組み合わせて成るライト本体３を形成する。又、そのライト本体３の裏蓋８面に、両端にオスメスを一組とする面ファスナー１６付きバンド１５を取り付けて杖ライト１を構成する。【選択図】図１
0003164864.tif 000002
【実用新案登録請求の範囲】
【請求項１】
歩行する際に杖に取り付けて使用する杖ライトであって、前記する杖ライトを形成するライト本体は、容体と裏蓋とが組み合わされる下部に、略Ｕ字状の透明縁を取り付けて成ライト本体を形成し、そのライト本体の容体内に、前記透明縁に設けた凹部にＬＥＤを位置するとともに、スイッチを容体表面側に出し、かつ前記容体に設けた電池収納部位に接触端子を位置して成る回路基板を収めて成る前記裏蓋の電池穴に、取り外し自在の電池蓋を組み合わせて成るライト本体を形成し、そのライト本体の裏蓋面に、両端にオスメスを一組とする面ファスナーを設けたバンドを取り付けて成る構成を特徴とする杖用のライト。
【請求項２】
前記するバンドが、伸縮性ある平ゴムで成る請求項１に記載する杖用のライト。
【請求項３】
前記するバンドの表面に、高輝度反射材を取り付けて成る請求項１又は請求項２に記載する杖用のライト。
【請求項４】
前記するバンドが、ライト本体の両側部に設けた通し穴を貫通して成る請求項１から請求項３のいずれかに記載する杖用のライト。
【考案の詳細な説明】
【技術分野】
【０００１】  本考案は、高齢者や足の不自由な人が使用する杖に取り付けて、夜間の散歩や歩行を安全で快適なものにすることができる杖用ライトに関する。
【背景技術】
【０００２】  従来、夜間において杖を使用する際は、杖を握る手と反対の手にライトを持つか、もしくはライトを持った第三者が付き添って一緒に歩いていた。【０００３】  また、夜間の歩行を安全なものとするために、杖の一部に小さな電池とライトを組み込んだ杖がある。（例えば、特許文献１参照）
【特許文献１】実用新案登録第３１３７２０８号
【考案の概要】
【考案が解決しようとする課題】
【０００４】  前記する一般的な杖を夜間に使用する場合は、杖を握る手と反対の手にライトを持つか、もしくはライトを持った第三者が付き添って一緒に歩くことになるので、一人では不便であり、時にはライトを落としてしまうこともある。また第三者が付き添う場合身内ならよいが、他人などの場合は気を使うなどの不便があった。【０００５】  さらに、実用新案登録第３１３７２０８号に開示される技術は、杖本体内に電池と操作ボタンやライトを組み込む方式であるため、構成は複雑となってコスト高になることは避けられない欠点がある。またライトの位置は固定されているので、使用者の好みの位置に変更することができないなど、構成的にもコストの面でも課題の多いライト付き杖の技術である。
【課題を解決するための手段】
【０００６】  本考案は、前記するような不便や欠点を解消するために、請求項１においては、杖ライトを形成するライト本体は、容体と裏蓋とが組み合わされる下部に略Ｕ字状の透明縁を取り付けて成ライト本体を形成し、そのライト本体の容体内に、前記透明縁に設けた凹部にＬＥＤを位置するとともに、スイッチを容体表面側に出し、かつ前記容体に設けた電池収納部位に接触端子を位置して成る回路基板を収めて成る前記裏蓋の電池穴に、取り外し自在の電池蓋を組み合わせたライト本体を形成し、そのライト本体の裏蓋面に、両端にオスメスを一組とする面ファスナーを設けたバンドを取り付けて成る杖用のライトとする。【０００７】  請求項２においては、前記するバンドが、伸縮性ある平ゴムで成る杖用のライトとする。【０００８】  請求項３においては、前記するバンドの表面に、高輝度反射材を取り付けて成る杖用のライトとする。【０００９】  請求項４においては、前記するバンドが、ライト本体の両側部に設けた通し穴を貫通して成る杖用のライトとする。
【考案の効果】
【００１０】  本考案における杖用のライトは、杖専用ライトとしてシンプルにして単独に形成されるので極めて安価に提供できる。また取り付け取り外しは弾性を有するバンドで、かつ面ファスナーで着脱できるので、使い慣れた既存の杖に取り付けられるとともに、杖の太さを選ばず好みの位置に簡単に取り付けられるユニークにして機能的な、従来には見られない杖ライトを広く提供できる。【００１１】  また、点灯点滅は一つのスイッチを押すだけで切り替えられるとともに、ＬＥＤは厚みのある透明体でカバーしているので、下方はもとより側面周囲からも光を発せられるため、どの方角からでも杖を認識できるので交通安全防止には効果的な杖ライトである。【００１２】  さらに、取り付け方法は弾性のあるバンドの両端部に設けた面ファスナーで固定できるので、杖以外に、例えば乳母車のフレームやスキーのストック、夜釣り用の釣竿など棒状の物に取り付けて多用途に使える楽しさもあり、構成もシンプルで安価に提供できるライトである。
【図面の簡単な説明】
【００１３】
【図１】本考案の杖ライトの実施形態を示す実施例１の正面斜視図である。
【図２】本考案の杖ライトの実施形態を示す、実施例１の背面斜視図である。
【図３】本考案による実施例１の裏蓋を取り外した状態を示す斜視図である。
【図４】本考案の杖ライトの実施形態を示す、実施例２の背面斜視図である。
【図５】本考案による実施例１の杖ライトを既存の杖に取り付けた状態を示す参考図である。
【考案を実施するための形態】
【００１４】  本考案による杖ライトは、杖の種類を選ばず、かつその取り付け位置も自在に変えられるライトとし、その手段としてライトは小さなＬＥＤ等を採用し、かつ杖への取り付け部材は、オスメスを一組とする面ファスナー付きバンドを取り付けて成る杖用ライトとする。
【実施例１】
【００１５】  本考案による実施例１の杖ライトを、図１に示す正面斜視図と図２に示す背面斜視図、図３に示す裏蓋を取り外した状態の背面斜視図で説明する。【００１６】  実施例１における杖ライト１は、杖本体から着脱自在できるものとし、かつ照明となる発光体は小さくても明るく省電力で済むＬＥＤ２を採用する。【００１７】  まず、杖ライト１を形成するライト本体３は、高さ約５０ｍｍで幅は約４０ｍｍ、厚さは約１０ｍｍ程度の大きさを成す略卵状にして手の平で包める程度の大きさとするが、そのライト本体３を形成する容体４は不透明合成樹脂素材とし、前記ライト本体３より厚みは少し薄くするとともに、その下部の半分弱の外縁は、幅約８ｍｍ程度で厚みは前記ライト本体３と略同程度とするＵ字状を成すとともに、その内側に凹部５を設けて成る透明縁６を、前記する容体４の下部に取り付けて成る容体４上部開放部に、前記容体４と同じ素材で成る電池穴７付きの浅い裏蓋８を形成し、その裏蓋８を前記した容体４の開放部に組み合わせた上で、その裏蓋８の電池穴７に、取り外し自在の電池蓋９を組み合わせて成るライト本体３を形成する。【００１８】  さらに、以上のように形成したライト本体３の前記透明縁６の凹部５にはＬＥＤ２を収め、かつ点灯又は点滅可能なスイッチ１０は容体４の表面に出るようにするとともに、前記透明縁６の対向側に設けた浅い電池収納部１２を設けるとともに、その電池収納部１２には、前記透明縁６寄りに位置した回路基板１１に接続する接触端子１３を位置して成るライト本体３を形成し、そのライト本体３の背面裏蓋８に、伸縮性がある織り平ゴム等の表面に高輝度反射材１４を設け、かつ両端部にオスメスを一組とする面ファスナー１６，１６を設けたバンド１５を取り付けて成る杖ライト１を構成する。【００１９】  実施例１における杖ライト１は以上のような構成であるので、ボタン電池を電池収納部１２にセットして後にスイッチ１０を押すとＬＥＤ２が点灯又は点滅する。さらに、ＬＥＤ２はＵ字状の厚みのある透明縁６でカバーしているので、ライトの光は前方のみならず左右側面からも放光して広範囲に照らすことができる。加えて、この杖ライト１の背面の裏蓋８には、両端部にオスメスを一組とする面ファスナー１６，１６を設けた弾性ある高輝度反射材１４付きバンド１５を、強力な接着剤又はネジ止めによる固定部１７によって取り付けているので、図５に示すように杖Ａに取り付けると、杖Ａの下部周囲を照らす杖ライト１となる。
【実施例２】
【００２０】  本考案による実施例２の杖ライトを図４に示す背面斜視図で説明する。
実施例２の杖ライト１は、基本構成は前記実施例１と同じであるが、バンド１５に取り付け方法が異なる。実施例１ではバンド１５の中ほどを直接ライト本体３の裏蓋８に取り付けるが、実施例２においては、ライト本体３の両側面に設けた通し穴１８，１８に、面ファスナー１６，１６付きバンド１５を貫通して取り付ける構成である。【００２１】  実施例２における杖ライト１は、基本構成はライト本体３及び内部は実施例１と同じであるが、杖への取り付け部材となる面ファスナー１６付きバンド１５が、ライト本体３の両側面に設けた通し穴１８，１８を介して取り付けているので、不用意にライト本体２部分が他の何かに当たっても脱落する心配が無い杖ライト１を形成する。【００２２】  本考案による杖ライト１におけるライト本体３は略卵状で、かつ所定の寸法の大きさを示しているが、他の形状でもよいし大きさも問わない。また透明縁６以外は不透明樹脂素材形成しているが全体を透明素材にしてもよい。加えて、バンド１５は弾性を有する素材が締め付けるように留められるので好ましいが、弾性素材で無い他の素材でも構わないし、止め部材も面ファスナー以外にホックやそれ以外の部材でも構わず、いずれも特に限定されるものではない。
【符号の説明】
【００２３】１  杖ライト
２  ＬＥＤ
３  ライト本体
４  容体
５  凹部
６  透明縁
７  電池穴
８  裏蓋
９  電池蓋
１０  スイッチ
１１  回路基板
１２  電池収納部
１３  接触端子
１４  高輝度反射材
１５  バンド
１６  面ファスナー
１７  固定部
１８  通し穴
Ａ  杖
【図１】
0003164864.tif 000003
【図２】
0003164864.tif 000004
【図３】
0003164864.tif 000005
【図４】
0003164864.tif 000006
【図５】
0003164864.tif 000007